(57)【要約】【課題】来訪者の認証キーに記号を用いることで柔軟性があり、また認証精度が向上可能な認証キーを提供する。【解決手段】文字列で表現される認証キーを来訪者に通知する通知部１３と、来訪者に通知された認証キー、来訪者情報、認証キーの名刺への付加条件を含む認証情報を記憶する認証情報記憶部１８と、施設の受付において、認証キーが付加されている名刺がカメラ１により撮影されると、その撮像画像を解析することで認証キー及び名刺に記載されている会社名及び氏名を取得する取得部１４と、取得された認証キー、会社名及び氏名が認証情報に含まれている認証キー、会社名及び氏名の組と合致し、また名刺上の認証キーが付加条件に合致する場合に来訪者を認証する認証部１５と、を有する。【選択図】図１
2019091250.tif 000002
【特許請求の範囲】
【請求項１】
記号により表現される認証キーを来訪者に通知する通知手段と、
来訪者に通知された認証キーを少なくとも含む認証情報を記憶する認証情報記憶手段と、
施設の受付において、来訪者が来訪時に携帯してくるカードであって前記通知手段により通知された認証キーが付加されているカードを撮影する撮影手段と、
前記撮影手段により撮影されたカードの画像を解析することで認証キーを取得する取得手段と、
前記取得手段により取得された認証キーが前記認証情報に含まれている認証キーと合致する場合に来訪者を認証する認証手段と、
を有することを特徴とする来訪者受付システム。
【請求項２】
前記カードは、名刺であり、
前記認証情報には、更に認証に利用する来訪者の名刺の記載事項が含まれており、
前記取得手段は、更に認証に利用する来訪者の名刺の記載事項を取得し、
前記認証手段は、前記取得手段により取得された認証キー及び来訪者の名刺の記載事項が前記認証情報に含まれている認証キー及び来訪者の名刺の記載事項と合致する場合に来訪者を認証することを特徴とする請求項１に記載の来訪者受付システム。
【請求項３】
前記認証手段は、前記認証キーが手書き文字である場合に来訪者を認証することを特徴とする請求項１に記載の来訪者受付システム。
【請求項４】
前記認証情報に含まれている来訪者の名刺の記載事項に基づき前記認証キーを生成する生成手段を有することを特徴とする請求項２に記載の来訪者受付システム。
【請求項５】
前記認証情報には、前記認証キーの前記カードへの付加条件が含まれており、
前記認証手段は、前記カードに付加されている認証キーが前記付加条件と合致する場合に来訪者を認証することを特徴とする請求項１に記載の来訪者受付システム。
【請求項６】
前記認証情報に含まれている来訪者の名刺の記載事項に基づき前記付加条件を生成する生成手段を有することを特徴とする請求項５に記載の来訪者受付システム。
【請求項７】
前記付加条件には、前記認証キーを形成する文字列の方向、前記カード上における前記認証キーの付加位置の少なくとも１つが含まれることを特徴とする請求項５に記載の来訪者受付システム。
【請求項８】
前記来訪者の名刺の記載事項は、来訪者が所属する団体名及び来訪者の氏名を少なくとも含むことを特徴とする請求項２に記載の来訪者受付システム。
【請求項９】
来訪者の名刺のレイアウト情報が予め設定されている名刺情報記憶手段を有し、
前記取得手段は、来訪者の名刺のレイアウト情報を参照して、認証に利用する名刺の記載事項の記載位置を特定することを特徴とする請求項２に記載の来訪者受付システム。
【発明の詳細な説明】
【技術分野】
【０００１】
本発明は、来訪者受付システム、特に施設の受付における来訪者の認証に関する。
【背景技術】
【０００２】
比較的規模の大きい企業のビルでは、来訪者の入館を厳重に管理している場合が少なくない。例えば、受付人員は、受付時に認証した来訪者個々にゲストカード（入館証）を手渡す。訪問者は、ゲストカードを建物の入口に設置されているカードリーダに読み取らせる。これにより、入口のゲートが開き、訪問者は入館することが可能となる。
【０００３】
ところで、顧客の訪問日時は、各時間とも００分や３０分など切りの良い時間に設定される場合が多い。例えば、ランチ休憩直後の１３時００分に訪問日時が設定されると、その時間に来訪者が集中し、受付に行列ができてしまう場合がある。
【０００４】
来訪者が一時的に集中することで発生しうる受付の遅れを解消するために、従来では、事前に知らされているＩＤをバーコード化して訪問者の名刺に印刷しておき、訪問者が、その名刺を訪問先の受付に設置されているカードリーダに読み取らせることで自動受付するシステムが提案されている（例えば、特許文献１）。
【先行技術文献】
【特許文献】
【０００５】
【特許文献１】特開２０１０−１８６２９２号公報
【特許文献２】特開２０１４−０６３４０１号公報
【特許文献３】特開２００８−０２１２６３号公報
【特許文献４】特開２００８−１２３２７７号公報
【特許文献５】特開２００５−２６７５２５号公報
【特許文献６】特開２００５−３０１８６１号公報
【特許文献７】特開平１０−２４６０４１号公報
【特許文献８】特開２００９−０３０３０７号公報
【特許文献９】特開２０１３−２２９７８０号公報
【発明の概要】
【発明が解決しようとする課題】
【０００６】
しかしながら、バーコードは、データを固定長とすることや所定の印刷範囲を必要とするなど、システムにおいて定められた規格に従って形成しなければならない。また、複数の規格があるとは言え、印刷により形成する必要があるなど、種々の制約がある。
【０００７】
本発明は、来訪者の認証キーに記号を用いることで柔軟性があり、また認証精度が向上可能な認証キーを提供する来訪者受付システムを提供することを目的とする。
【課題を解決するための手段】
【０００８】
本発明に係る来訪者受付システムは、記号により表現される認証キーを来訪者に通知する通知手段と、来訪者に通知された認証キーを少なくとも含む認証情報を記憶する認証情報記憶手段と、施設の受付において、来訪者が来訪時に携帯してくるカードであって前記通知手段により通知された認証キーが付加されているカードを撮影する撮影手段と、前記撮影手段により撮影されたカードの画像を解析することで認証キーを取得する取得手段と、前記取得手段により取得された認証キーが前記認証情報に含まれている認証キーと合致する場合に来訪者を認証する認証手段と、を有することを特徴とする。
【０００９】
また、前記カードは、名刺であり、前記認証情報には、更に認証に利用する来訪者の名刺の記載事項が含まれており、前記取得手段は、更に認証に利用する来訪者の名刺の記載事項を取得し、前記認証手段は、前記取得手段により取得された認証キー及び来訪者の名刺の記載事項が前記認証情報に含まれている認証キー及び来訪者の名刺の記載事項と合致する場合に来訪者を認証することを特徴とする。
【００１０】
また、前記認証手段は、前記認証キーが手書き文字である場合に来訪者を認証することを特徴とする。
【００１１】
また、前記認証情報に含まれている来訪者の名刺の記載事項に基づき前記認証キーを生成する生成手段を有することを特徴とする。
【００１２】
また、前記認証情報には、前記認証キーの前記カードへの付加条件が含まれており、前記認証手段は、前記カードに付加されている認証キーが前記付加条件と合致する場合に来訪者を認証することを特徴とする。
【００１３】
また、前記認証情報に含まれている来訪者の名刺の記載事項に基づき前記付加条件を生成する生成手段を有することを特徴とする。
【００１４】
また、前記付加条件には、前記認証キーを形成する文字列の方向、前記カード上における前記認証キーの付加位置の少なくとも１つが含まれることを特徴とする。
【００１５】
また、前記来訪者の名刺の記載事項は、来訪者が所属する団体名及び来訪者の氏名を少なくとも含むことを特徴とする。
【００１６】
また、来訪者の名刺のレイアウト情報が予め設定されている名刺情報記憶手段を有し、前記取得手段は、来訪者の名刺のレイアウト情報を参照して、認証に利用する名刺の記載事項の記載位置を特定することを特徴とする。
【発明の効果】
【００１７】
本発明によれば、来訪者の認証キーに記号を用いることで柔軟性があり、また認証精度が向上可能な認証キーを提供することができる。
【図面の簡単な説明】
【００１８】
【図１】本発明に係る来訪者受付システムの全体構成の一実施の形態及びブロック構成を示す図である。
【図２】本実施の形態における入退館管理装置を形成するサーバコンピュータのハードウェア構成図である。
【図３】本実施の形態における認証情報記憶部に登録される認証情報のデータ構成の一例を示す図である。
【図４】本実施の形態における来訪者の照合処理を示すフローチャートである。
【発明を実施するための形態】
【００１９】
以下、図面に基づいて、本発明の好適な実施の形態について説明する。
【００２０】
図１は、本発明に係る来訪者受付システムの全体構成の一実施の形態及びブロック構成を示す図である。図１には、カメラ１と、入退館管理装置１０と、外部システム２と、入退館管理装置１０と外部システム２とを接続するインターネット等のネットワーク３と、が示されている。本実施の形態では、施設として比較的規模の大きい企業（会社Ａ）のビル４を想定している。ビル４の入口（受付階）には、ゲートと、ゲートの外側に来訪者の受付を行う従業員（受付人員）がいる受付カウンタが設けられており、訪問者は、受付を正規に済ませることでゲートが開き、ビル４に入館することが可能となる。
【００２１】
入退館管理装置１０は、サーバールーム等ビル４内の所定の位置に設置される、また、カメラ１は、ビル４の受付階のゲートの外側に設置される。なお、図１には、１台のカメラ１のみを図示したが、複数台設置してもよい。また、外部システム２は、当企業の顧客となる企業（会社Ｂ）のシステムである。なお、図１には、１つの外部システム２のみを図示したが、複数のシステムがネットワーク３を介して接続されていてもよい。
【００２２】
なお、「顧客」は、企業（会社Ｂ）を指す場合と会社Ａに訪問する従業員（訪問者）を指す場合とがある。ただ、訪問者個人を指す場合には「訪問者」と称することにする。また、「訪問者」というのは、会社Ａに訪れる者であって、本実施の形態の場合、会社Ａの顧客（会社Ｂ）の従業員である。「来訪者」というのは、会社Ａに訪れてくる者であって、本実施の形態の場合、会社Ａの顧客（会社Ｂ）の従業員である。このように、「訪問者」と「来訪者」は、同じ人物（図１の名刺の記載によると「山田  太郎」）を指す。
【００２３】
図２は、本実施の形態における入退館管理装置１０を形成するサーバコンピュータのハードウェア構成図である。本実施の形態において入退館管理装置１０を形成するサーバコンピュータは、従前から存在する汎用的なハードウェア構成で実現できる。すなわち、入退館管理装置１０は、図２に示したようにＣＰＵ２１、ＲＯＭ２２、ＲＡＭ２３、ハードディスクドライブ（ＨＤＤ）２４、入力手段として設けられたマウス２５とキーボード２６、及び表示手段として設けられたディスプレイ２７をそれぞれ接続する入出力コントローラ２８、通信手段として設けられたネットワークインタフェース（ＩＦ）２９を内部バス３０に接続して構成される。
【００２４】
図１に戻り、カメラ１は、来訪者が来訪時に携帯してくる名刺を撮影する。本実施の形態における入退館管理装置１０は、来訪者情報取得部１１、認証情報生成部１２、通知部１３、取得部１４、認証部１５、認証結果表示部１６、予約情報記憶部１７、認証情報記憶部１８及び名刺情報記憶部１９を有している。なお、本実施の形態において説明に用いない構成要素については、図１から省略している。
【００２５】
来訪者情報取得部１１は、会社Ａに訪問することが予定されている顧客に関する情報を予約情報記憶部１７から読み出す。認証情報生成部１２は、来訪者情報取得部１１により読み出された来訪者情報に基づき認証情報を生成して認証情報記憶部１８に登録する。通知部１３は、認証情報生成部１２により生成された認証情報に含まれている認証キーを当該顧客に通知する。取得部１４は、カメラ１により撮影された名刺の画像を解析することで認証キー及び名刺の記載事項を取得する。本実施の形態において「名刺の記載事項」というのは、来訪者の認証処理に用いる情報であり、本実施の形態の場合、来訪者が所属する会社の会社名と来訪者の氏名がこれに該当する。
【００２６】
認証部１５は、取得部１４により取得された認証キー及び名刺の記載事項が認証情報記憶部１８に記憶されている認証情報に含まれている認証キー及び名刺の記載事項と合致する場合に来訪者を認証する。認証結果表示部１６は、認証部１５による認証結果をディスプレイ２７に表示する。なお、本実施の形態において「認証」というのは、来訪者が不正な第三者ではなく予約済みの正当な顧客であることを証明することをいう。ただ、「認証結果」というように、場合によって認証作業（認証処理）を表す場合もある。
【００２７】
予約情報記憶部１７には、顧客の会社Ａへの訪問の予約に関する予約情報が顧客の訪問前に設定登録されている。予約情報には、予約日時、予約した顧客に関する情報及び訪問先（会社Ａ）側に関する情報が設定登録されている。顧客に関する情報としては、会社名、住所、電話番号等の会社情報と、来訪者の役職、氏名、メールアドレス等の来訪者個人に関する情報が含まれている。また、訪問先（会社Ａ）側に関する情報としては、来訪者に応対する担当者、使用する会議室等の情報が含まれている。
【００２８】
図３は、本実施の形態における認証情報記憶部１８に登録される認証情報のデータ構成の一例を示す図である。認証情報は、来訪者情報、認証情報、付加条件及び時間帯という情報項目にて構成される。このうち、来訪者情報、認証情報及び付加条件は、来訪者を認証する際に用いる情報である。来訪者情報は、来訪者に関する情報であり、本実施の形態では、会社名と来訪者の氏名を用いる。来訪者情報に設定する情報項目によって名刺から読み取る情報（名刺の記載事項）が決まる。
【００２９】
認証キーは、会社Ａが顧客に付与する認証用の識別情報である。後述するように、顧客は、認証キーを来訪者の名刺に付加することになるが、認証情報に設定される付加条件には、名刺にどのように付加するのか、その名刺への付加条件が設定される。本実施の形態では、付加条件の例として、文字列方向及び付加位置を設定している。本実施の形態では、記号のうち文字を使って認証キーを表現する場合を想定しているので、文字列方向には、横書き、縦書き、更に複数の行に折り返すなど、その文字列の並びや方向についての条件が設定される。付加位置には、名刺上において認証キーが付加されるべき位置や範囲が設定される。図３には、右上等おおよその位置を示すように設定しているが、名刺全体を座標データで表して座標データで付加すべき範囲を具体的に指定するようにしてもよい。また、図３に例示したように複数箇所を設定してもよい。名刺によっては、会社のログ等が印刷されていることから、１箇所で指定された付加位置に認証キーを付加できない場合があるので、付加位置の選択の余地を顧客に与えるためである。
【００３０】
名刺情報記憶部１９には、顧客の名刺のレイアウト情報が予め設定されている。具体的には、当該顧客の会社名、氏名、必要により住所や電話番号の印刷位置が容易に特定できるための情報が設定されている。
【００３１】
入退館管理装置１０における各構成要素１１〜１６は、入退館管理装置１０を形成するコンピュータと、コンピュータに搭載されたＣＰＵ２１で動作するプログラムとの協調動作により実現される。また、各記憶部１７〜１９は、入退館管理装置１０に搭載されたＨＤＤ２４にて実現される。あるいは、ＲＡＭ２３又は外部にある記憶手段をネットワーク経由で利用してもよい。
【００３２】
また、本実施の形態で用いるプログラムは、通信手段により提供することはもちろん、ＣＤ−ＲＯＭやＵＳＢメモリ等のコンピュータ読み取り可能な記録媒体に格納して提供することも可能である。通信手段や記録媒体から提供されたプログラムはコンピュータにインストールされ、コンピュータのＣＰＵがプログラムを順次実行することで各種処理が実現される。
【００３３】
次に、本実施の形態における動作について説明する。まず、顧客（来訪者）に対して認証キーを発行し、通知するまでの処理について説明する。
【００３４】
顧客の来訪が予定されると、その顧客についての予約情報が予約情報記憶部１７に登録される。予約情報が新たに登録されると、来訪者情報取得部１１は、登録された予約情報から来訪者の認証に用いる情報を来訪者情報として抽出する。
【００３５】
認証情報生成部１２は、抽出された来訪者情報に基づき認証情報を生成する。本実施の形態では、来訪者の認証に、来訪者に関する情報と認証キーを併用する。認証情報に設定する来訪者情報は、カメラ１による名刺の撮像画像から抽出した情報（名刺の記載事項）の照合に用いるので、名刺の記載事項から選出する必要がある。本実施の形態では、図３に例示したように来訪者が所属する会社の名称（会社名）及び来訪者の氏名を用いるが、この情報に限定する必要はなく、名刺の記載事項であり、予約情報にも設定されている情報、例えば住所や電話番号等でもよい。また、会社名及び氏名にこれらの情報を付加してもよい。情報を付加することで認証の精度を向上させることが可能となる。
【００３６】
また、認証情報生成部１２は、来訪者情報取得部１１により取得された来訪者情報に基づき認証キーを生成する。認証キーは、他の認証キーと重複しなければどのような方法にて生成してもよい。管理者が手入力で設定してもよい。ただ、本実施の形態では、顧客の情報に依存させるようにした。例えば、会社名には、漢字、カタカナ、ひらがな、英文字等が用いられており、また、社名及び社名長もばらつきがあり、基本的には異なる認証キーが生成されやすい。
【００３７】
例えば、会社名を構成する各文字を所定の規則に従って数値化し、その数値にある定数をかけて文字列（認証キー）を生成する所定の生成アルゴリズムに従って認証キーを生成する。このように、会社名の文字及び文字数に依存させて認証キーを生成するので、バーコードを用いる場合と異なり、認証キーが固定長で生成されるとは限らない。もちろん、固定長となるよう生成してもよい。
【００３８】
本実施の形態では、付加条件も同様に、来訪者情報を利用して自動設定する。例えば、会社名を利用すると、会社名を構成する各文字を所定の規則に従って数値化し、その数値にある定数をかけて１つの値を算出し、その値が奇数なら縦書き、偶数なら横書きと設定される所定の生成アルゴリズムを用いる。
【００３９】
付加位置も同様に所定のアルゴリズムを用いて設定されるようにしてよい。本実施の形態では、付加条件として文字列方向及び付加位置を例にしているが、これとは別に、あるいはこれに加えて，例えば文字色の指定、印刷か手書きかの別、印刷する場合にはフォントや文字サイズ等、手書きの場合は、鉛筆等筆記用具の種類などその他の条件を設定してもよい。
【００４０】
上記説明では、会社名から認証キーを生成するようにしたが、氏名をも用いて生成してもよい。また、その逆に会社名に含まれている全ての文字を用いずに一部の文字を用いるようにしてもよい。また、認証キーが手書きされる場合を考慮して、識別しにくい文字や誤認しやすい文字、例えば“ｌ”、“１”、“ｏ”、“０”等を含まないように認証キーを生成するようにしてもよい。
【００４１】
また、来訪者の訪問日時は予約情報から特定できるので、その訪問日時の前後３０分を、訪問してくる可能性のある時間帯として設定する。図３には、来訪者が１５時に予約している場合の例が示されている。
【００４２】
本実施の形態では、認証キーのみで来訪者を認証することが可能である。ただ、来訪者情報（会社名及び氏名）を組み合わせることで認証制度を更に向上させることができる。また、訪問予定の時間帯を設定しておけば、不正な訪問を防止することができる。また、認証キーが偶然にも一致した場合の不具合を回避できる可能性が高くなる。
【００４３】
以上のようにして、認証キーが生成されると、通知部１３は、認証情報に含まれている認証キー及び付加条件を該当する顧客に通知する。本実施の形態では、顧客の所定のメールアドレス又は来訪者個人のメールアドレス宛に電子メールにて通知することを想定しているが、通知する方法は、特に限定する必要はない。
【００４４】
顧客（会社Ｂ）では、認証キーが通知されてくると、付加条件により指定された方法で認証キーを来訪者の名刺に付加する。名刺に付加する作業は、来訪者が行っても、専門のスタッフが行ってもよい。
【００４５】
ここで、本実施の形態では、認証キーを名刺に「付加」するという表現を用いている。「付加」には、認証キーを名刺に印刷する場合、手書きする場合、認証キーが付加されている紙やシールを名刺に貼り付ける場合等、名刺に認証キーを付けるあらゆる手段が含まれることを示している。
【００４６】
以上のようにして、来訪者の名刺に認証キーが付加されると、訪問者は、認証キーが付加された名刺を持って訪問先（会社Ａ）に訪問する。そして、会社Ａの入口階に設置されているカメラ１に名刺を撮影させる。このとき、訪問者は、受付をしている従業員（受付人員）と接触する必要はない、以下、来訪者の照合処理について、図４に示すフローチャートを用いて説明する。
【００４７】
訪問者は、名刺をカメラ１の撮影範囲におくことで、本処理を実施するアプリケーションは自動的に起動される。そして、カメラ１は、名刺を撮影する（ステップ１０１）。取得部１４は、カメラ１により名刺が撮影されると、その撮像画像を解析することによって認証キー及び名刺の記載事項、本実施の形態の場合、認証情報記憶部１８に設定されている来訪者情報に該当する項目情報（会社名、氏名）を取得する（ステップ１０２）。
【００４８】
ところで、取得部１４は、上記のように名刺の撮像画像を解析することによって来訪者の会社名及び氏名を取得することになる。名刺のレイアウトは、ある程度パターン化されているようにも考えられるが、中には奇抜なレイアウトの名刺も存在し、会社名及び氏名を抽出しにくい状況になるかもしれない。そこで、名刺情報記憶部１９に各会社の名刺のレイアウト情報、特にパターン化されていないデザインの名刺のレイアウト情報を事前に登録しておくことによって、来訪者情報（会社名、氏名）の認識精度を向上させることが可能となる。
【００４９】
なお、取得部１４は、認証情報に含まれている付加位置を利用することによって認証キーを抽出するようにしてもよい。正当な来訪者の場合には、認証キーの読取精度を向上させることが可能となる。また、名刺ホルダーを利用し、カメラ１の撮影範囲の所定位置に名刺を位置付けできるようして、名刺の記載事項の読取精度を向上させるようにしてもよい。
【００５０】
続いて、認証部１５は、取得部１４により取得された認証キー及び来訪者情報を、認証情報記憶部１８に登録されている認証情報に設定されている認証キー及び来訪者情報と照合する（ステップ１０３）。取得部１４により取得された認証キーが認証情報に設定されている認証キーと合致することで来訪者を認証、すなわち正当な来訪者と認証してもよいが、本実施の形態では、更に来訪者情報を照合することによって認証精度を高めている。
【００５１】
更に、本実施の形態では、名刺から読み取った認証キーが、認証情報に設定されている付加条件に合致していたかどうか、具体的には、認証キーは、名刺上のどの位置に付加されており、それは縦書きか横書きかという文字列の方向などを検証する。
【００５２】
このように、認証キー及び来訪者情報が認証情報に合致しており、更に名刺上の認証キーが付加条件に合致していた場合に（ステップ１０４でＹ）、来訪者を認証する。認証されるとゲートが開き、訪問者は、ビル４の中に入ることができる。
【００５３】
本実施の形態においては、認証キーに加えて、名刺の記載事項、更に認証キーの付加条件を考慮していくことで来訪者の認証精度を向上させることができる。
【００５４】
また、図３に示すように訪問者の訪問時刻を含む時間帯を設定している。従って、訪問者の実際の訪問時刻を含む時間帯が設定されている認証情報に絞り込んで、名刺の画像から抽出した情報を照合することができる。
【００５５】
一方、来訪者が認証できなかった場合（ステップ１０４でＮ）、ゲートは閉状態のままであり、訪問者は、ビル４の中に入ることができないが、このとき、認証結果表示部１６は、認証に失敗した旨をディスプレイ２７に表示する。ディスプレイ２７は、受付人員が視認可能な位置やカメラ１の設置位置近傍に設置するなど運用によって設置場所を選べばよい。前者の場合、受付人員は、認証に失敗した来訪者とはじめて接触し、直接応対する。後者の場合、訪問者は、名刺の再読み取りを試みる。なお、認証に失敗したときの対応は、この例に限らず会社Ａの運用に従えばよい。
【００５６】
以上説明したように、本実施の形態によれば、認証に成功した場合、訪問者は、受付人員と全く接触しなくてよい。つまり、受付人員を削減することが可能となる。また、入館が許可された来訪者に手渡すゲストカード（入館証）を用いない運用に変えることも可能となる。つまり、認証キーが付加されている名刺がゲストカードの代わりとして利用することが可能となる。
【００５７】
ところで、本実施の形態では、名刺に付加する認証キーとして文字列を利用しているが、これにより、手書き文字を利用できるのが好適である。手書き文字でよいということは、バーコードのようにプリンタを利用しなくてよいということである。従って、例えば、外出中の顧客に急遽来社してもらうことになった場合、認証キーを顧客に電話にて伝える。認証キーが伝えられた訪問者は、その認証キーを名刺に書き込めばよい。付加位置等の付加条件が伝えられれば、その付加条件に合致するよう認証キーを書き込むことになる。
【００５８】
この例のように、手書き文字が使えることで、会社Ａへの訪問が外出先で求められるような緊急性のある場合にも対応可能となる。また、認証キーの書き込みに鉛筆を用いれば、認証キーを消すことができるので、印刷する場合と異なり、名刺を再利用することも可能となる。
【００５９】
以上説明したように、本実施の形態では、名刺に認証キーを付加するようにした。ただ、前述したように認証キーだけでも来訪者の認証は可能である。つまり、名刺以外のカードに認証キーを付加し、そのカードをカメラ１に撮影させるようにしてもよい。このように、認証キーを付加できる媒体をカードとして利用することも可能である。
【００６０】
また、本実施の形態では、記号により認証キーを表現するようにした。上記説明では、認証キーを文字列にて生成する場合を例にした。ただ、図形や罫線等文字以外の記号、若しくはこれらの記号を文字と組み合わせて認証キーを生成してもよい。また、記号により認証キーを表現することにより、バーコードと比較して、認証キーの長さ、認証キーを構成する記号の大きさ等に柔軟性を持たせることが可能となる。特にサイズが相対的に小さい名刺上に認証キーを付加できるスペースは制限されるので、認証キーの長さや大きさ、向きを調整しやすい記号を用いることは都合よい。また、バーコードと異なり、手書きによっても認証キーを名刺に付加することも可能である。
【符号の説明】
【００６１】
１  カメラ、２  外部システム、３  ネットワーク、４  ビル、１０  入退館管理装置、１１  来訪者情報取得部、１２  認証情報生成部、１３  通知部、１４  取得部、１５  認証部、１６  認証結果表示部、１７  予約情報記憶部、１８  認証情報記憶部、１９  名刺情報記憶部、２１  ＣＰＵ、２２  ＲＯＭ、２３  ＲＡＭ、２４  ハードディスクドライブ（ＨＤＤ）、２５  マウス、２６  キーボード、２７  ディスプレイ、２８  入出力コントローラ、２９  ネットワークインタフェース（ＩＦ）、３０  内部バス。
【図１】
2019091250.tif 000003
【図２】
2019091250.tif 000004
【図３】
2019091250.tif 000005
【図４】
2019091250.tif 000006